(57)【特許請求の範囲】
【請求項１】
上下の横材と左右の縦材とを方形状に組んでなる框体内にパネル体を納めてなり、建物開口部に設置される枠体内に納められる障子において、
前記横材と縦材は、該横材と縦材に対して接着固定される連結部材によりコーナー部で連結され、
前記連結部材は、連結される前記横材と縦材の室内側にそれぞれ接着固定される室内側部品と、連結される前記横材と縦材の室外側にそれぞれ接着固定される室外側部品とからなり、
前記室内側部品と室外側部品のいずれか一方の部品には、前記枠体に形成されるレールを跨いで案内されるガイド部が形成され、該ガイド部の他方の部品と対向する側の面は、他方の部品との接合面であることを特徴とする障子。
【請求項２】
前記室内側部品と室外側部品は、接着により互いに接合されることを特徴とする請求項１記載の障子。
【請求項３】
前記室内側部品と室外側部品のうち前記ガイド部を有する一方の部品は、前記ガイド部に隣接して他方の部品と対向する対向面を備え、該対向面も他方の部品と接合されることを特徴とする請求項１または２記載の障子。
【請求項４】
前記框体のうち少なくとも三辺の横材と縦材には、室内面の内周側に前記パネル体を押圧する押縁部材が取付けられ、連結される前記横材と縦材の押縁部材は、一方の端面が他方の側面に突き当てられ、前記室内側部品は前記押縁部材に係らないように形成されて、前記押縁部材は端部を含む全長に渡って室内側に露出することを特徴とする請求項１〜３のいずれか１項に記載の障子。
【請求項５】
前記框体は前記押縁部材を保持する内周側部分に室内側に張り出した張出部を有し、前記室内側部品は前記張出部の側面を覆うことを特徴とする請求項４記載の障子。
【発明の詳細な説明】
【技術分野】
【０００１】
本発明は、サッシの枠体に納められる障子に関し、特に上下の横材と左右の縦材を連結部材によりコーナー部で連結してなる框体を有する障子に関する。
【背景技術】
【０００２】
従来、建物開口部に取付けられる枠体内に納められる障子が知られている。障子は、上下の横材と左右の縦材を方形状に組んでなる框体を備え、この框体内にパネル体を納めるようにしている。横材と縦材は、いずれも断面中空状に形成され、横材の中空内部には、長手方向に渡るビス孔が形成されている。横材と縦材の連結は、横材の端面を縦材の内側面に突き当て、横材のビス孔に対してビスを螺合させることによりなされる。横材のビス孔は、横材に対して縦材が回転しないように、少なくとも２箇所に設けられる。このような障子としては、例えば特許文献１に挙げるようなものがある。
【先行技術文献】
【特許文献】
【０００３】
【特許文献１】特開２００６−２０７１７６号公報
【発明の概要】
【発明が解決しようとする課題】
【０００４】
従来の障子は、上述のように横材と縦材をビス止めしていたため、以下に述べる問題点を有していた。まず、少なくとも横材にビス止めのためのビス孔を長手方向に沿って形成する必要があり、重量増及びコストアップを招いていた。特に、横材は押出成形されてなるため、ビス孔は長手方向の全長に渡って形成されるが、ビスが挿入されるのは、両端部分だけであり、その他の大部分は、何ら機能しない部分となる。軽量化のため、ビス孔の両端部以外の領域を切除することも考えられるが、そのための加工にコストがかかり、現実的ではない。また、ビス孔を少なくとも離隔した２箇所に設ける必要があるため、框材の設計自由度に制約を与えることとなっていた。
【０００５】
さらに、框体をリサイクルする際に、框体を分解するためには、ビスを全て取り外さなければならず、作業性が良好とは言えなかった。また、ビスが取付けられたまま廃棄されると、アルミ材からなる框体にステンレス等からなるビスが混入することとなり、リサイクル時に支障を来す可能性がある。
【０００６】
本発明は前記課題を鑑みてなされたものであり、ビスを使用することなく框材を連結することのできる障子を提供することを目的とする。
【課題を解決するための手段】
【０００７】
前記課題を解決するため、本発明に係る障子は、上下の横材と左右の縦材とを方形状に組んでなる框体内にパネル体を納めてなり、建物開口部に設置される枠体内に納められる障子において、
前記横材と縦材は、該横材と縦材に対して接着固定される連結部材によりコーナー部で連結され、
前記連結部材は、連結される前記横材と縦材の室内側にそれぞれ接着固定される室内側部品と、連結される前記横材と縦材の室外側にそれぞれ接着固定される室外側部品とからなり、
前記室内側部品と室外側部品のいずれか一方の部品には、前記枠体に形成されるレールを跨いで案内されるガイド部が形成され、該ガイド部の他方の部品と対向する側の面は、他方の部品との接合面であることを特徴として構成されている。
【０００８】
また、本発明に係る障子は、前記室内側部品と室外側部品は、接着により互いに接合されることを特徴として構成されている。
【０００９】
さらに、本発明に係る障子は、前記室内側部品と室外側部品のうち前記ガイド部を有する一方の部品は、前記ガイド部に隣接して他方の部品と対向する対向面を備え、該対向面も他方の部品と接合されることを特徴として構成されている。
【００１０】
さらにまた、本発明に係る障子は、前記框体のうち少なくとも三辺の横材と縦材には、室内面の内周側に前記パネル体を押圧する押縁部材が取付けられ、連結される前記横材と縦材の押縁部材は、一方の端面が他方の側面に突き当てられ、前記室内側部品は前記押縁部材に係らないように形成されて、前記押縁部材は端部を含む全長に渡って室内側に露出することを特徴として構成されている。
【００１１】
そして、本発明に係る障子は、前記框体は前記押縁部材を保持する内周側部分に室内側に張り出した張出部を有し、前記室内側部品は前記張出部の側面を覆うことを特徴として構成されている。
【発明の効果】
【００１２】
本発明に係る障子によれば、横材と縦材はこれらに接着固定される連結部材によりコーナー部で連結され、連結部材は、連結される横材と縦材の室内側にそれぞれ接着固定される室内側部品と、連結される横材と縦材の室外側にそれぞれ接着固定される室外側部品とからなり、室内側部品と室外側部品のいずれか一方の部品には、枠体に形成されるレールを跨いで案内されるガイド部が形成され、ガイド部の他方の部品と対向する側の面は、他方の部品との接合面であることにより、框材の連結のためのビス孔を框材の長手方向に沿って設ける必要がなく、その分の材料を不要とできるので、軽量化及びコストダウンを図ることができる。また、ガイド部が一方の部品に形成されているので、障子の案内に伴う荷重が部品同士の接合に影響せず、強度を大きくすることができる。
【００１３】
また、本発明に係る障子によれば、室内側部品と室外側部品は、接着により互いに接合されることにより、両部品を容易に接合することができ、また強度も十分に確保することができる。
【００１４】
さらに、本発明に係る障子によれば、ガイド部を有する一方の部品は、ガイド部に隣接して他方の部品と対向する対向面を備え、対向面も他方の部品と接合されることにより、部品の接合面積を大きくして、接合強度をより大きくすることができる。
【００１５】
さらにまた、本発明に係る障子によれば、連結される横材と縦材の押縁部材は、一方の端面が他方の側面に突き当てられ、室内側部品は押縁部材に係らないように形成されて、押縁部材は端部を含む全長に渡って室内側に露出することにより、框体を組んだ後に取付けられる押縁部材を、連結部材と干渉することなく円滑に取付けることができる。
【００１６】
そして、本発明に係る障子によれば、框体は押縁部材を保持する内周側部分に室内側に張り出した張出部を有し、室内側部品は張出部の側面を覆うことにより、部品の框材に対する接合面積を大きくし、連結強度をより大きくすることができる。
【図面の簡単な説明】
【００１７】
【図１】本実施形態における障子が用いられるサッシの縦断面図である。
【図２】サッシの横断面図である。
【図３】内障子の室内側から見た斜視図である。
【図４】内障子の室外側から見た斜視図である。
【図５】連結部材を取り外した内障子の室内側から見た分解斜視図である。
【図６】下框と召合わせ框の連結部分を室内側から見た拡大分解斜視図である。
【図７】下框と召合わせ框の連結部分を室外側から見た拡大分解斜視図である。
【図８】上框と縦框の連結部分を室内側から見た拡大分解斜視図である。
【図９】上框と縦框の連結部分を室外側から見た拡大分解斜視図である。
【図１０】上框と召合わせ框の連結部分を室外側から見た拡大斜視図である。
【図１１】気密材を取り外した内障子の召合わせ框付近拡大斜視図である。
【図１２】外障子の室外側から見た斜視図である。
【図１３】外障子の室内側から見た斜視図である。
【図１４】下框と縦框との連結部分付近を室外側から見た拡大斜視図である。
【図１５】外障子の上框と召合わせ框との連結部分付近の斜視図である。
【発明を実施するための形態】
【００１８】
本発明の実施形態について図面に沿って詳細に説明する。図１には本実施形態における障子が用いられるサッシの縦断面図を、図２にはサッシの横断面図を、それぞれ示している。これら各図に示すように、サッシは、建物開口部に取付けられる枠体１内に内障子２と外障子３が引き違い状かつ開閉自在に納められ構成されている。
【００１９】
枠体１は、上枠１０と下枠１１及び左右の縦枠１２、１２を方形状に枠組みして構成されている。また、内障子２は、方形状に框組みされた内框体２ａにパネル体であるガラス体２ｂを納めて構成され、外障子３は、方形状に框組みされた外框体３ａにパネル体であるガラス体３ｂを納めて構成されている。
【００２０】
枠体１を構成する下枠１１には、上面に内レール１１ａと外レール１１ｂとがそれぞれ形成されている。内障子２の下辺には、内レール１１ａに案内される戸車２ｃが設けられ、また外障子３の下辺には、外レール１１ｂに案内される戸車３ｃが設けられる。これにより、内障子２と外障子３は、それぞれ枠体１の左右方向に走行自在とされる。
【００２１】
内障子２の内框体２ａは、戸車２ｃが設けられる位置より上方の部分が、室内側に張り出す張出部２５とされ、外障子３も、戸車３ｃが設けられる位置より上方部分が、室外側に張り出す張出部２５とされている。これにより、内障子２と外障子３で複層ガラスからなるガラス体２ｂ、３ｂを飲み込む寸法を確保するようにしている。
【００２２】
内框体２ａと外框体３ａは、いずれも上框２０と下框２１、枠側の縦辺を構成する縦框２２及び召合わせ側の縦辺を構成する召合わせ框２３を方形状に框組みして構成されている。上框２０と下框２１、縦框２２及び召合わせ框２３は、いずれも室外面が内周側に延出された室外保持部２７を有し、この室外保持部２７によりガラス体２ｂ、３ｂの室外面が保持される。上框２０と下框２１、縦框２２及び召合わせ框２３の室内面には、内周端部に押縁部材２６が取付けられる。この押縁部材２６により、ガラス体２ｂ、３ｂの室内面が保持される。
【００２３】
図２に示すように、内框体２ａの召合わせ框２３と外框体３ａの召合わせ框２３には、互いに対向する面にそれぞれ煙返し部２３ｂ、２３ｂが形成されていて、これらは内障子２と外障子３を閉じた状態で互いに噛み合い、内障子２と外障子３の召合わせ部分における気密性確保に寄与している。また、内框体２ａの召合わせ框２３には、煙返し部２３ｂの外周側に、凹状の縦溝部２３ａが長手方向に沿って形成されている。この縦溝部２３ａには気密材２８が取付けられ、これも内障子２と外障子３の間の気密性確保のために設けられる。
【００２４】
図３には内障子２の室内側から見た斜視図を、図４には内障子２の室外側から見た斜視図を、それぞれ示している。これら各図に示すように、内框体２ａは、横材となる上框２０及び下框２１と、縦材となる縦框２２及び召合わせ框２３を、４つのコーナー部でそれぞれ連結部材３０、４０により連結して組まれている。連結部材３０は、下框２１の両端部でそれぞれ縦框２２及び召合わせ框２３の下端部と連結し、連結部材４０は、上框２０の両端部でそれぞれ縦框２２及び召合わせ框２３の上端部と連結している。
【００２５】
連結部材３０は、連結される下框２１と縦框２２または召合わせ框２３の室内側にそれぞれ接着して固定される室内側部品３１と、連結される下框２１と縦框２２または召合わせ框２３の室外側にそれぞれ接着して固定される室外側部品３２との二部材で構成され、これら室内側部品３１と室外側部品３２も、接着により互いに接合されている。
【００２６】
連結部材４０も、連結される上框２０と縦框２２または召合わせ框２３の室内側にそれぞれ接着して固定される室内側部品４１と、連結される下框２１と縦框２２または召合わせ框２３の室外側にそれぞれ接着して固定される室外側部品４２とのに部材で構成され、これら室内側部品４１と室外側部品４２も、接着により互いに接合されている。
【００２７】
図５には、連結部材３０、４０を取り外した内障子２の室内側から見た分解斜視図を示している。この図に示すように、下框２１と縦框２２または召合わせ框２３との連結部分及び上框２０と縦框２２または召合わせ框２３との連結部分は、コーナー部分が空いた状態となっており、この空間部分を埋めるようにそれぞれ連結部材３０、４０が設けられる。
【００２８】
図６には下框２１と召合わせ框２３の連結部分を室内側から見た拡大分解斜視図を、図７には下框２１と召合わせ框２３の連結部分を室外側から見た拡大分解斜視図を、それぞれ示している。これらの図に示すように、下側の連結部材３０を構成する室内側部品３１は、下框２１と召合わせ框２３の連結部分となる内框体２ａのコーナー部を構成する角構成部３１ａと、下框２１の端部室内面に当接して接着固定される横材接着部３１ｂと、召合わせ框２３の端部室内面に当接して接着固定される縦材接着部３１ｃとを有して構成されている。
【００２９】
連結部材３０を構成する室外側部品３２は、下框２１と召合わせ框２３の連結部分となる内框体２ａのコーナー部を構成する角構成部３２ａと、下框２１の端部室外面に当接して接着固定される横材接着部３２ｂと、召合わせ框２３の端部室外面に当接して接着固定される縦材接着部３２ｃとを有して構成されている。また、室外側部品３２には、室内面側に下枠１１の内レール１１ａを跨いでこれに案内されるガイド部３２ｅが形成されている。
【００３０】
室内側部品３１と室外側部品３２は、互いに対向する接合面を突き合わせ、接着により接合され、一体化される。図７に示されているように、室内側部品３１は、角構成部３１ａの室外面が平面状の接合面３１ｄとなっている。一方、図６に示されているように、室外側部品３２は、ガイド部３２ｅの室内面が接合面３２ｄとなっており、対向する室内側部品３１の下部に当接し接着接合される。また、ガイド部３２ｅと隣接する角構成部３２ａの室内面は、室内側部品３１の接合面３１ｄと対向する対向面３２ｆであって、この対向面３２ｆと室内側部品３１の接合面３１ｄとが接着接合される。
【００３１】
室内側部品３１と室外側部品３２の横材接着部３１ｂ、３２ｂは、それぞれ下框２１の室内面と室外面に当接して接着固定され、室内側部品３１と室外側部品３２の縦材接着部３１ｃ、３２ｃは、それぞれ召合わせ框２３の室内面と室外面に当接して接着固定され、前述のように、室内側部品３１と室外側部品３２は互いに接合され、これらによって、連結部材３０による下框２１と召合わせ框２３との連結構造を構成している。
【００３２】
このように、接着接合される室内側部品３１と室外側部品３２からなる連結部材３０において、ガイド部３２ｅが一方の部品に一体形成されているので、内障子２が走行する際におけるガイド部３２ｅへの荷重に対する強度を大きくすることができる。特に、下框２１と縦框２２または召合わせ框２３との連結部分は、障子の重量を支えるため、大きな荷重がかかりやすく、この位置に設けられる連結部材３０につき、かかる構造を採用したことで、荷重に対する強度を十分に確保することができる。なお、本実施形態ではガイド部３２ｅが室外側部品３２に形成されているが、室内側部品３１に形成されていてもよい。
【００３３】
図７に示すように、室外側部品３２には、縦溝部２３ａと略同断面形状の溝構成部３２ｇを有し、これによって縦溝部２３ａを延長する。これにより、気密材２８を内框体２ａの下端まで設けることができ、サッシにおける気密ラインを連続状とすることができる。また、室外側部品３２には、召合わせ框２３の煙返し部２３ｂを延長する煙返し延長部３２ｈも形成され、煙返し部２３ｂを内框体２ａの下端まで延長する。
【００３４】
室内側部品３１は、内框体２ａの室内側に張り出す張出部２５の側面を覆う側面被覆部３１ｅを有している。一方で、張出部２５の室内端部に設けられる押縁部材２６に係らないようにして、これと干渉しないような形状を有している。このため、図３に示すように、押縁部材２６は、端部を含む長手方向全長が室内側に露出している。障子の組立においては、框体を連結部材で框組みした後、ガラス体を設けて押縁部材２６で固定する。連結部材３０が押縁部材２６と干渉しないような形状とされていることにより、押縁部材２６によるガラス体２ｂの室内面の固定を、円滑に行うことができる。
【００３５】
図８には上框２０と縦框２２の連結部分を室内側から見た拡大分解斜視図を、図９には上框２０と縦框２２の連結部分を室外側から見た拡大分解斜視図を、それぞれ示している。これらの図に示すように、上側の連結部材４０を構成する室内側部品４１は、上框２０と縦框２２の連結部分となる内框体２ａのコーナー部を構成する角構成部４１ａと、上框２０の端部室内面に当接して接着固定される横材接着部４１ｂと、縦框２２の端部室内面に当接して接着固定される縦材接着部４１ｃとを有して構成されている。室内側部品４１の室外側部品４２と対向する室外面には、室外側に突出する突出部４１ｄが形成され、その先端面は室外側部品４２に当接して接着接合される接合面４１ｅとなっている。
【００３６】
連結部材４０を構成する室外側部品４２は、上框２０と縦框２２の連結部分となる内框体２ａのコーナー部を構成する角構成部４２ａと、上框２０の端部室外面に当接して接着固定される横材接着部４２ｂと、縦框２２の端部室外面に当接して接着固定される縦材接着部４２ｃとを有して構成されている。室外側部品４２の室内側部品４１と対向する室内面には、室内側に突出する突出部４２ｄが形成され、その先端面は室内側部品４１に当接して接着接合される接合面４２ｅとなっている。
【００３７】
室内側部品４１の接合面４１ｅと室外側部品４２の接合面４２ｅは、室内側部品４１と室外側部品４２を対向させた状態で異なる位置となるように配置されており、室内側部品４１の接合面４１ｅは室外側部品４２の対向する部分に当接し接着され、室外側部品４２の接合面４２ｅは室内側部品４１の対向する部分に当接し接着され、これによって両者は一体化されて連結部材４０を構成する。
【００３８】
室内側部品４１と室外側部品４２の横材接着部４１ｂ、４２ｂは、それぞれ上框２０の室内面と室外面に当接して接着固定され、室内側部品４１と室外側部品４２の縦材接着部４１ｃ、４２ｃは、それぞれ縦框２２の室内面と室外面に当接して接着固定され、前述のように、室内側部品４１と室外側部品４２は互いに接合され、これらによって、連結部材４０による上框２０と縦框２２との連結構造を構成している。
【００３９】
上側の連結部材４０においても、内框体２ａの室内側に張り出す張出部２５の側面を覆う側面被覆部４１ｅを有している。一方で、張出部２５の室内端部に設けられる押縁部材２６については、これと干渉しないような形状を有している。このため、図３に示すように、押縁部材２６は、端部を含む長手方向全長が室内側に露出している。このように、連結部材３０は押縁部材２６と干渉しないような形状とされているので、押縁部材２６によるガラス体２ｂの室内面の固定を、円滑に行うことができる。
【００４０】
図１０には、上框２０と召合わせ框２３の連結部分を室外側から見た拡大斜視図を示している。この図に示すように、召合わせ框２３側の連結部材４０には、室外側部品４２に召合わせ框２３の縦溝部２３ａと連続する溝構成部４２ｇが形成されていて、縦溝部２３ａを延長している。これにより、気密材２８を内框体２ａの上端まで設けることができ、サッシにおける気密ラインを連続状とすることができる。また、室外側部品４２には、煙返し部２３ｂを延長する煙返し延長部４２ｈも形成されている。
【００４１】
図１１には、気密材２８を取り外した状態における内障子２の召合わせ框２３付近拡大図を示している。この図に示すように、上框２０と召合わせ框２３の連結部分においては、室外側部品４２の溝構成部４２ｇと召合わせ框２３の縦溝部２３ａとが連続状となっている。また、下框２１と召合わせ框２３の連結部分においては、室外側部品３２の溝構成部３２ｇと召合わせ框２３の縦溝部２３ａとが連続状となっている。このように、室外側部品３２、４２の溝構成部３２ｇ、４２ｇにより、召合わせ框２３の上端部から下端部に渡って、縦溝部２３ａが連続状となっているので、気密材２８を連続的に保持して、気密ラインの連続性を確保することができる。
【００４２】
外障子３の連結部材についても説明する。図１２には外障子３の室外側から見た斜視図を、図１３には外障子３の室内側から見た斜視図を、それぞれ示している。これらの図に示すように、外障子３の外框体３ａにおいても、四隅のコーナー部分を連結部材５０、６０により構成しており、下框２１と縦框２２または召合わせ框２３とを連結する連結部材５０は、室内側部品５１と室外側部品５２とを接着接合してなり、上框２０と縦框２２または召合わせ框２３とを連結する連結部材６０は、室内側部品６１と室外側部品６２とを接着接合してなる。
【００４３】
外障子３の外框体３ａは、室内側が略面一状で、室外側に張出部２５が形成されている。このため、連結部材５０を構成する室内側部品５１は、内障子２の連結部材３０を構成する室外側部品３２に、連結部材５０を構成する室外側部品５２は、内障子２の連結部材３０を構成する室内側部品３１に、それぞれ近い形状を有してなる。また、連結部材６０を構成する室内側部品６１は、内障子２の連結部材４０を構成する室外側部品４２に、連結部材６０を構成する室外側部品６２は、内障子２の連結部材４０を構成する室内側部品４１に、それぞれ近い形状を有してなる。
【００４４】
図１４には、下框２１と縦框２２との連結部分付近を室外側から見た拡大斜視図を示している。連結部材５０において、室内側部品５１にはガイド部５１ｅが一体的に形成されており、下枠１１の外レール１１ｂを跨いでこれに案内されるようになっている。また、室外側部品４２には、外框体３ａの張出部２５端部を被覆して接着される張出被覆部５２ｄが形成されている。
【００４５】
図１５には、外障子３の上框２０と召合わせ框２３との連結部分付近の斜視図を示している。この図に示すように、召合わせ框２３側に設けられる連結部材６０を構成する室内側部品６１には、召合わせ框２３の煙返し部２３ｂを延長する煙返し延長部６１ｆが形成されている。また、室内側部品６１の縦材接着部６１ｃは、煙返し部２３ｂに隣接して下方まで延びており、室内側部品６１と召合わせ框２３との接合面積ができるだけ大きくなるようにしている。
【００４６】
以上のように、内障子２を構成する内框体２ａと外障子３を構成する外框体３ａについて、横材となる上框２０及び下框２１と、縦材となる縦框２２及び召合わせ框２３とを、各框材に接着される連結部材３０、４０、５０、６０により連結するようにしたので、框材の連結のためのビス孔を框材の長手方向に沿って設ける必要がなく、その分の材料を不要とできるので、軽量化及びコストダウンを図ることができる。また、連結する横材と縦材の端部に、連結のための加工を施す必要がなく、単に垂直に切断するだけでよいので、工数を削減しコストダウンを図ることができる。
【００４７】
さらに、連結部材３０、４０、５０、６０を室内側部品３１、４１、５１、６１と室外側部品３２、４２、５２、６２で構成し、それぞれ框材の室内外面に接着固定すると共に、室内側部品３１、４１、５１、６１と室外側部品３２、４２、５２、６２は互いに接着接合されるので、連結部材３０、４０、５０、６０と各框材の連結を容易になすことができる。ただし、室内側部品３１、４１、５１、６１と室外側部品３２、４２、５２、６２の接合に際しては、嵌合構造を採用してもよいし、または嵌合及び接着により接合するようにしてもよい。
【００４８】
以上、本発明の実施形態について説明したが、本発明の適用は本実施形態には限られず、その技術的思想の範囲内において様々に適用されうるものである。
【符号の説明】
【００４９】
１    枠体
２    内障子
２ａ  内框体
３    外障子
３ａ  外框体
１０    上枠
１１    下枠
１１ａ  内レール
１１ｂ  外レール
１２    縦枠
２０    上框
２１    下框
２２    縦框
２３    召合わせ框
２６    押縁部材
３０    連結部材
３１    室内側部品
３１ｄ  接合面
３２    室外側部品
３２ｄ  接合面
３２ｅ  ガイド部
３２ｆ  対向面
４０    連結部材
４１    室内側部品
４１ｅ  接合面
４２    室外側部品
４２ｅ  接合面
５０    連結部材
５１    室内側部品
５２    室外側部品
６０    連結部材
６１    室内側部品
６２    室外側部品
【図１】
0005522846.tif 000002
【図２】
0005522846.tif 000003
【図３】
0005522846.tif 000004
【図４】
0005522846.tif 000005
【図５】
0005522846.tif 000006
【図６】
0005522846.tif 000007
【図７】
0005522846.tif 000008
【図８】
0005522846.tif 000009
【図９】
0005522846.tif 000010
【図１０】
0005522846.tif 000011
【図１１】
0005522846.tif 000012
【図１２】
0005522846.tif 000013
【図１３】
0005522846.tif 000014
【図１４】
0005522846.tif 000015
【図１５】
0005522846.tif 000016